(57)【要約】【課題】  遮断かんの太い部分と細い部分の両方に対応することができる遮断かんに取付ける警告板の支持具を提供することである。【解決手段】  フランジ２を設けた第１支持筒Ａと、この第１支持筒Ａに対して着脱可能に組み付けられた第２支持筒Ｂとを備え、上記第１支持筒Ａの内径Ｌを第２支持筒Ｂの内径Ｋより大きくし、第１支持筒Ａの外径を第２支持筒Ｂの外径より小さくするとともに、上記第２支持筒Ｂの外径は、警告板１２に設けた筒状部材１３の内径よりも小さくしたことを特徴とする。【選択図】  図１
2005199745.tif 000002
【特許請求の範囲】
【請求項１】
フランジを設けた第１支持筒と、この第１支持筒に対して着脱可能に組み付けられた第２支持筒とを備え、上記第１支持筒の内径を第２支持筒の内径より大きくしたことを特徴とする遮断かんに取付ける警告板の支持具。
【請求項２】
第１支持筒の外径を第２支持筒の外径より小さくするとともに、上記第２支持筒の外径は、警告板に設けた筒状部材の内径よりも小さくしたことを特徴とする請求項１記載の遮断かんに取付ける警告板の支持具。
【請求項３】
フランジを設けた支持筒に貫通孔を形成する一方、この支持筒の外周に弾性リングを嵌めつける構成にするとともに、この弾性リングは、上記貫通孔を介して支持筒の内周側に突出する突部を設けたことを特徴とする遮断かんに取付ける警告板の支持具。
【発明の詳細な説明】
【技術分野】
【０００１】
この発明は、踏切遮断機に設置された遮断かんに取付ける警告板の支持具に関する。
【背景技術】
【０００２】
踏切遮断機の遮断かんには、「止まれ」、「お待ちください」等の文字を表示した警告板を取付けて、自動車や歩行者に注意を促すようにしているが、この警告板を支持するための支持具として、特許文献１に記載されているものが従来から知られている。この支持具は、その内径を遮断かんの太さ、すなわち外径に合わせて形成し、その中に、遮断かんを差し通すようにしていた。
【０００３】
上記のように、警告板の支持具は、その内径を遮断かんの太さに合わせて形成していたが、遮断かんは、踏み切りの幅が広ければ、当然その幅に合わせて長いものを設置することになる。しかし、上記遮断かんを長くするためには、その重量バランスを保つために、基端を重くして先端に向かって徐々に軽くする、すなわち基端を太くして先端に向かうほど徐々に細くしなければならない。したがって、１本の遮断かんでも、その長さが長くなればなるほど、各部分の太さが異なることになる。
【０００４】
また、1本の太さが均等の遮断かんであっても、規格によって遮断かんそれぞれの太さが異なることがあった。例えば、雪の多い地方では雪の重みに耐えることができるように、遮断かんの太さを太くしたり、風が強い地方では風の強さに耐えられるように、その太さを太くしたりしていた。
【０００５】
【特許文献１】特許第２８１２８７６号公報
【発明の開示】
【発明が解決しようとする課題】
【０００６】
上記したように、踏切遮断機に設置される遮断かんは、その部分によって太さが異なったり、規格によって太さが異なったりするので、警告板の支持具は、遮断かんの太さに合わせてその内径を形成しなければならない。
しかし、上記支持具は、その内径を遮断かんの太い部分に合わせて形成すると、細い部分に取付けたときに、その細い部分と支持具との間に隙間ができてしまうので、支持具ががたついてしまう。反対に、支持具を細い部分に合わせて形成すると、それを太い部分に取付けようとしても、その内径が遮断かんよりも小さくなってしまうので、取付けることができなくなってしまう。
【０００７】
上記のように、警告板の支持具は、遮断かんの太い部分または細い部分のどちらかに合わせて形成すると、太い部分または細い部分のどちらかに対応できないという問題があった。
この発明の目的は、遮断かんの太い部分と細い部分の両方に対応することができる遮断かんに取付ける警告板の支持具を提供することである。
【課題を解決するための手段】
【０００８】
この発明は、フランジを設けた第１支持筒と、この第１支持筒に対して着脱可能に組み付けられた第２支持筒とを備え、上記第１支持筒の内径を第２支持筒の内径より大きくしたことを特徴とする。
【発明の効果】
【０００９】
第１の発明によれば、第１支持筒に対して第２支持筒を着脱可能に組み付けるとともに、第１支持筒の内径を第２支持筒の内径より大きくしたので、遮断かんの太い部分には第２支持筒を取り外した第１支持筒のみで対応し、遮断かんの細い部分には第１支持筒に第２支持筒を取付けた状態で対応する。したがって、この発明の支持具は、遮断かんの太さが太かったり細かったりしても、遮断かんに対してがたついたりすることがなく、確実に取付けることができる。
【００１０】
第２の発明によれば、第１支持筒の外径を第２支持筒の外径より小さくするとともに、上記第２支持筒の外径を警告板に設けた筒状部材の内径よりも小さくしたので、第１支持筒または第２支持筒のどちらによっても、警告板を回転可能に支持することができる。このように警告板が回転することによって、上記警告板に風などの外力が作用したとしても、その外力を逃がすことができるので、警告板が破壊されるという不都合を防ぐことができる。
【００１１】
第３の発明によれば、支持筒の外周に嵌めつけた弾性リングに、支持筒の内周側に突出する突部を設けたので、支持具を取付ける遮断かんの太さが太かったり細かったりしても、支持筒の内周側から突出する弾性力を有する突部が常に遮断かんに圧接する。したがって、この発明の支持具は、遮断かんに対してがたついたりすることがなく、確実に取付けることができる。
【発明を実施するための最良の形態】
【００１２】
図１〜図１０に、この発明の第１実施形態を示す。この発明の支持具は、図１に示す第１支持筒Ａと第２支持筒Ｂとからなり、上記第１支持筒Ａを矢印Ｒ方向に移動させて、図２に示すように、第１支持筒Ａと第２支持筒Ｂとを着脱自在に組み付ける構成にしている。
【００１３】
上記第１支持筒Ａは、図３、図４に示すように、筒部１と、この筒部１と連続して設けたフランジ２と、このフランジ２と一体に形成した複数の固定部材３とを備えている。これら固定部材３は、フランジ２から軸方向に伸びた円弧状片からなる。そして、この第１実施形態においては、４つの固定部材３を円周方向に一定の間隔を保って形成するとともに、これら各固定部材３が相まって一定間隔のすき間を持った円筒を形成している。また、これら各固定部材３は可撓性を有している。
なお、この第１実施形態では、固定部材３を４枚形成したが、それら複数の固定部材３が相まって上記のように円筒を形成すれば、固定部材３は複数であればその枚数は問わない。
【００１４】
上記のようにしたフランジ２には、円弧状の掛け止め孔４を複数設けている。なお、掛け止め孔４の円弧の中心は、筒部１の中心と同じにしている。また、これら掛け止め孔４も、上記固定部材３と同様に、この第１実施形態においては４つ形成しているが、複数であればその数は問わない。
【００１５】
上記掛け止め孔４には、その外径側の一方のコーナー部分に、掛け止め部５を設けているが、この掛け止め部５は、掛け止め孔４の円弧長のほぼ半分の長さを保っている。このように掛け止め孔４内に掛け止め部５を設けることによって、この掛け止め孔４内を鉤状にしている。言い換えると、掛け止め部５の内側を、その掛け止め部５の分だけ直径方向の幅を狭くした小孔部４ｂとし、掛け止め部５から外れた部分を、掛け止め部５がない分だけ直径方向の幅を広くした大孔部４ａとし、これら大孔部４ａと小孔部４ｂとを連続させている。そして、各掛け止め孔４内に設けた掛け止め部５は、円周方向においてすべて同じ位置に設けている。
【００１６】
上記のようにした掛け止め部５のうち、直径線上で互いに対向する一対の掛け止め部５には、大孔部４ａに隣接する側に、直径線に沿った突起からなるストッパ５ａを形成している。なお、この第１実施形態においては、上記一対の掛け止め部５だけに上記ストッパ５ａを形成し、他の掛け止め部５にはストッパ５ａを設けていない。ただし、すべての賭け止め部５に上記ストッパ５ａを設けてもかまわないこと当然である。
【００１７】
上記のようにした第１支持筒Ａには、第２支持筒Ｂを組み付けるが、この第２支持筒Ｂは、図５に示すように、第１筒部６と第２筒部７とからなり、これら第１筒部６と第２筒部７との間に環状溝８を設けている。また、第１筒部６は第１支持筒Ａの筒部１がぴったりと嵌まる内径を保つとともに、この第１筒部６の前縁には引っ掛け片９を複数形成している。
さらに、第１筒部６の外径は、上記第１支持筒の筒部１の外径よりも大きくしている。言い換えると、第２支持筒Ｂの外径は、第１支持筒Ａの外径よりも大きくしている。
【００１８】
上記引っ掛け片９は、第１支持筒Ａに設けた掛け止め孔４に対応して形成するとともに、その先端をＬ字状にすることによって、引っ掛け部９ａを形成している。このようにした引っ掛け片９を掛け止め孔４の大孔部４ａに差し込んで、図６に示す矢印Ｓ方向に回転させると、この引っ掛け片９が大孔部４ａから小孔部４ｂに移動するとともに、上記引っ掛け部９ａが掛け止め部５のストッパ５ａを乗り越える。
【００１９】
上記のように、引っ掛け部９ａがストッパ５ａを乗り越えることによって、上記第２支持筒Ｂを上記矢印Ｓと反対方向に回転させようとしても、引っ掛け部９ａがストッパ５ａに引っ掛かり、第２支持筒Ｂの矢印Ｓと反対方向の回転を規制する。
また、図７に示すように、上記第２筒部７は、その内径Ｋを、上記第１支持筒Ａの筒部１の内径Ｌよりも小さくしている。
【００２０】
上記のようにした第１、第２支持筒Ａ，Ｂは、以下のようにして着脱可能に組み付けられる。
まず、図１に示すように、第１支持筒Ａのフランジ２に設けた掛け止め孔４の大孔部４ａと第２支持筒Ｂの第１筒部６に設けた引っ掛け片９との位置を合わせてから、第１支持筒Ａを矢印Ｒ方向に移動させて第１支持筒Ａの筒部１を第２支持筒Ｂの環状溝８に差し込む。筒部１を環状溝８に差し込むと、相対的に、第２支持筒Ｂの第２筒部７が筒部１内に差し込まれるとともに、上記引っ掛け片９が掛け止め孔４の大孔部４ａに差し込まれる。このとき、第１支持筒Ａの筒部１は第２支持筒Ｂの第１筒部６の内径にぴったりと嵌まるので、第２支持筒Ｂが第１支持筒Ａに対してがたつくことがない。
【００２１】
そして、引っ掛け片９が掛け止め孔４の大孔部４ａに差し込まれると、引っ掛け片９に設けた引っ掛け部９ａが、フランジ２から差し込み方向と反対側に突出する。この状態から、上記第２支持筒Ｂを図６に示す矢印Ｓ方向に回転すると、上述したように、引っ掛け片９が大孔部４ａから小孔部４ｂに移動するとともに、上記引っ掛け部９ａが掛け止め部５のストッパ５ａを乗り越える。
【００２２】
上記のように、引っ掛け部９ａがストッパ５ａを乗り越えると、第２支持筒Ｂを矢印Ｓと反対方向に回転させようとしても、引っ掛け部９ａがストッパ５ａに引っ掛かり、第２支持筒Ｂの矢印Ｓと反対方向の回転を規制する。このようにして、図２および図７に示すように、第２支持筒Ｂは第１支持筒Ａに組み付けられる。
【００２３】
なお、上記第２支持筒Ｂを第１支持筒Ａから取り外すには、第２支持筒Ｂを図６に示す矢印Ｓと反対方向に強い力で回転させれば、上記引っ掛け部９ａがストッパ５ａを乗り越え、上記引っ掛け片９を大孔部４ａに差し込んだ状態に戻る。そして、第２支持筒Ｂを第１支持筒Ａから引き抜くことによって、取り外すことができる。
【００２４】
上記のように警告板の支持具を構成することによって、図８に示すように、遮断かん１０の小径部１０ａには、第１支持筒Ａに第２支持筒Ｂを取付けた状態の支持具で対応し、遮断かん１０の大径部１０ｂには、第２支持筒Ｂを取り外した第１支持筒Ａのみで対応する。したがって、遮断かん１０の太さが太かったり細かったりしても、上記支持具を遮断かん１０に対してがたついたりすることなく、確実に取付けることができる。
【００２５】
また、上記支持具は、遮断かん１０に取付けると、図８に示すように、第１支持筒Ａに設けた固定部材３が遮断かん１０の周囲に位置することになる。この状態から、図９に示すように、これら固定部材３に粘着テープ等の固定手段１１を巻きつけることによって、支持具を遮断かん１０に固定するようにしている。
【００２６】
そして、警告板１２は、２つの支持具を対向させるようにして遮断かん１０に取付けたあと、これら支持具で挟みこむようにして遮断かん１０に取付けられる。このように、遮断かん１０に固定された２つの支持具で警告板１２を挟みこむことによって、支持具に設けられたフランジ２が警告板１２の軸方向の移動を阻止する。したがって、上記警告板１２は、遮断かん１０からずれたり脱落したりすることがない。
【００２７】
さらに、上述したように、第１支持筒Ａの外径よりも大きい第２支持筒Ｂの第１筒部６の外径は、図１０に示すように、警告板１２に設けた筒状部材１３の内径よりも小さくしている。したがって、上記筒状部材１３の内径と上記第１筒部６の外径すなわち第２支持筒Ｂの外径との間には、隙間Ｈが形成される。そのため、警告板１２に設けた筒状部材１３は、第１、第２支持筒Ａ，Ｂどちらに対しても回転可能に取付けられることになる。
【００２８】
上記のように、警告板１２を第１、第２支持筒Ａ，Ｂに対して回転可能に取付けることによって、第１支持筒Ａまたは第２支持筒Ｂのどちらによっても、警告板１２を回転可能に支持することができる。このように警告板１２が回転することによって、上記警告板１２に風などの外力が作用したとしても、その外力を逃がすことができるので、警告板１２が破壊されるという不都合を防ぐことができる。
【００２９】
なお、上記第１実施形態では、ストッパ５ａに引っ掛け片９の引っ掛け部９ａを引っ掛けることによって、第１支持筒Ａに対して第２支持筒Ｂを着脱自在に組み付けるようにしているが、組み付け方法はどのようなものであってもよい。例えば、第１支持筒Ａのフランジ２に凹部を設け、第２支持筒Ｂの第１筒部６に凹部に対応する凸部を設けて、これらを圧入することで組み付けられるようにしてもよい。
【００３０】
図１１、図１２に、この発明の第２実施形態を示す。図１１に示すように、この第２実施形態の支持具は、支持筒２１と、この支持筒２１と連続して設けたフランジ２２と、このフランジ２２と一体に形成した複数の固定部材２３とを備えている。なお、これら固定部材２３は、この第２実施形態においては4つ形成しているが、複数であればその数は問わないこと上記第1実施形態と同様である。
【００３１】
そして、上記支持筒２１には複数の貫通孔２４を形成する一方、この支持筒２１の外周には弾性リング２５を嵌めつけている。この弾性リング２５には、上記支持筒２１に形成した複数の貫通孔２４に対応させた複数の突部２６を設けている。これら突部２６は、図１２に示すように、上記支持筒２１の外周に弾性リング２５を嵌めつけたときに、上記貫通孔２４を介して支持筒２１の内周側に突出する。
【００３２】
上記のようにした支持具を遮断かんに取付けると、その遮断かんの太さが太かったり細かったりしても、支持筒２１の内周側から突出する弾性力を有する突部２６が、遮断かんに常に圧接することになる。したがって、支持具は遮断かんに対してがたついたりすることなく、確実に取付けることができる。
【図面の簡単な説明】
【００３３】
【図１】本発明の第１実施形態の全体構成図である。
【図２】第１支持筒に第２支持筒を組み付けた状態を示す斜視図である。
【図３】第１支持筒の斜視図である。
【図４】第１支持筒の正面図である。
【図５】第２支持筒の斜視図である。
【図６】第１支持筒に第２支持筒を組み付けた状態を示す正面図である。
【図７】図６のＣ−Ｃ線断面図である。
【図８】支持具を遮断かんに取付けた状態を示す正面図である。
【図９】警告板を遮断かんに取付けた状態を示す正面図である。
【図１０】図９のＤ−Ｄ線断面図である。
【図１１】第２実施形態を示す側面図である。
【図１２】第２実施形態を示す正面図である。
【符号の説明】
【００３４】
Ａ          第１支持筒
Ｂ          第２支持筒
Ｌ          第１支持筒の内径
Ｋ          第２支持筒の内径
２          フランジ
１０        遮断かん
１２        警告板
１３        筒状部材
２１        支持筒
２２        フランジ
２４        貫通孔
２５        弾性リング
２６        突部
【図１】
2005199745.tif 000003
【図２】
2005199745.tif 000004
【図３】
2005199745.tif 000005
【図４】
2005199745.tif 000006
【図５】
2005199745.tif 000007
【図６】
2005199745.tif 000008
【図７】
2005199745.tif 000009
【図８】
2005199745.tif 000010
【図９】
2005199745.tif 000011
【図１０】
2005199745.tif 000012
【図１１】
2005199745.tif 000013
【図１２】
2005199745.tif 000014